(57)【要約】【課題】  本考案は剣道打ち込み台において、打撃開始の合図から打撃終了までの時間表示機能を付加し、練習者の興味意欲を高めようとする反射動作計測装置を提供する。【解決手段】  練習者が打ち込み台に正対するとき、指導者がスタ−トスイッチ５を操作することにより、ランプ４が点灯、同時に時間計測装置７が作動し、経過時間がディスプレイ８に表示されるが、練習者は点灯後直ちに面の感圧センサー２を打撃する事で、感圧センサ−２が作動し、時間計測装置７を停止させる。ここで表示された数値が打突に要した時間（秒）であり、これが少なければ少ないほど技能が高いとされる。計測終了後はリセットスイッチ６を操作して時間計測装置７を初期状態に戻す。【選択図】図３
0003209994.tif 000002
【実用新案登録請求の範囲】
【請求項１】
時間計測を開始させるスタートスイッチと、計測時間を停止させる感圧センサーと、時間計測が開始すると点灯し停止すると消灯するランプと、計測時間を停止させる感圧センサー、並びに、ランプを取付ける防具と、ランプが点灯し消灯するまでの時間を演算し表示する時間計測装置と、時間を初期化させるリセットスイッチを有する事を特長とした剣道打ち込み台に使用する反射動作計測装置。
【請求項２】
請求項１に記載の反射動作計測装置において、時間計測を開始させるスタートスイッチをＯＮする事でランプが点灯、並びに、時間計測装置が駆動し、ランプが点灯後、防具に取りつけられた感圧センサーをＯＮさせる事でランプが消灯、並びに、時間計測装置が停止すると同時にランプが点灯してから消灯するまでの時間を演算し、ディスプレイに表示し、演算された時間が表示された後に、初期化させるリセットスイッチをＯＮする事で、時間を初期状態にする事が出来る事を特長とした剣道打ち込み台に使用する反射動作計測装置。
【請求項３】
時間計測を開始させるスタートスイッチと、計測時間を停止させる感圧センサーと、時間計測が開始すると点灯し、停止すると消灯するランプと、ランプが点灯し消灯するまでの時間を演算し、表示する時間計測装置と、時間を初期化させるリセットスイッチを備え、時間計測を開始させるスタートスイッチをＯＮする事で、ランプが点灯、並びに、時間計測装置が駆動し、ランプが点灯後、感圧センサーをＯＮさせる事で、ランプが消灯、並びに、時間計測装置が停止すると同時に、ランプが点灯してから消灯するまでの時間を演算し、ディスプレイに表示し、演算された時間が表示された後に初期化させるリセットスイッチをＯＮする事で、時間を初期状態にする事が出来る事を特長とし、老化や認知症の防止、並びに、リハビリテーションの様に人の反射機能を回復させる目的に使用する反射動作計測装置。
【考案の詳細な説明】
【技術分野】
【０００１】  本考案は、剣道の打突の練習に用いる打ち込み台に関する物である。
【背景技術】
【０００２】  従来の剣道打ち込み台は竹刀を用いて打突部位、例えば面部をただ打撃するだけである。【０００３】
【非特許文献】ＫＯＥＩ  ＢＵＤＯＵＧＵ  ＣＡＴＡＬＯＧＵ  ２００７  Ｐ７４
【先行技術文献１】
実開平０１−０６５０６６
【先行技術文献２】
実開平０２−１３５０６９
【考案の概要】
【考案が解決しようとする課題】
【０００４】  従来の剣道打ち込み台は、打撃をするだけのもので、打撃開始の合図から打撃終了までの微小時間差を計測する機能は付加されておらず、打突するときの所要時間を定量的に知る事が出来ないなどの問題がある。この時間を定量的に知る事で最小にすべき努力目標値が明確になり、練習への興味を高める効果的な方法を有する剣道打ち込み台に使用する反射動作計測装置を提供する。
【課題を解決するための手段】
【０００５】  時間計測を開始させるスタートスイッチと、計測時間を停止させる感圧センサーと、時間測が開始すると点灯し停止すると消灯するランプと、計測時間を停止させる感圧センサー、並びに、ランプを取付ける防具と、ランプが点灯し消灯するまでの時間を演算し、表示する時間計測装置と、時間を初期化させるリセットスイッチを有する事を特長とした剣道打ち込み台に使用する反射動作計測装置おいて、時間計測を開始させるスタートスイッチをＯＮする事でランプが点灯、並びに、時間計測装置が駆動し、ランプが点灯後、防具に取りつけられた感圧センサーをＯＮさせる事でランプが消灯、並びに、時間計測装置が停止すると同時に、ランプが点灯してから消灯するまでの時間を演算し、ディスプレイに表示し、演算された時間が表示された後に初期化させるリセットボタンをＯＮする事で、時間を初期状態にする事が出来る事を特長とする。
【考案の効果】
【０００６】  練習者は、練習者が打ち込み台よりある距離の位置に立ち、指導者のスタートスイッチ操作により点灯するランプを合図に直ちに打突するときの所要時間を定量的に知る事で最小にすべき努力目標値が明確になり練習への興味を高める効果となり、また、老化や認知症の防止、並びに、リハビリテーションの様に人の反射機能を回復させる効果となる。
【図面の簡単な説明】
【０００７】
【図１】本考案の剣道打ち込み台に使用する反射動作計測装置正面図である。
【図２】ランプと感圧センサーの位置を示す面の側面から見た切り欠き断面図である。
【図３】スタートスイッチとリセットスイッチとランプと感圧センサ−とデイスプレイの電気的接続図である。
【符号の説明】
【０００８】  １．防具
２．感圧センサー
３．緩衝材
４．ランプ
５．スタートスイッチ
６．リセットスイッチ
７．時間計測装置
８．ディスプレイ
９．取付台
１０．面布団
【考案を実施するための形態】
【０００９】  以下に、図面を用いて本発明に係る実施の形態につき、詳細に説明する。
図１は、剣道打ち込み台に使用する反射動作計測装置の正面図で、面を冠する人形の形態を有する打ち込み台において、時間計測を開始させるスタートスイッチ５と、計測時間を停止させる感圧センサー２と、感圧センサーを保護する緩衝材３と、時間計測が開始すると点灯し停止すると消灯するランプ４と、計測時間を停止させる感圧センサー２、並びに、ランプ４を取付ける防具１と、ランプが点灯し消灯するまでの時間を演算し、表示する時間計測装置７と、演算された時間が表示されるディスプレイ８と、時間を初期化させるリセットスイッチ６と、各パーツを取付ける事が出来る取付台９が設けられた構成になっている。
【００１０】  次に、図２のランプと、感圧センサ−の位置を示す断面図について説明する。
図２のように防具１の内部において練習者からみて概略目の位置にランプ４を設け、緩衝材３で保護された感圧センサ−２を、防具１の打突部である面布団の上に固定する構成になっている。
【００１１】  次に、図３の電気的接続図について説明する。
練習者が打ち込み台に正対するとき、指導者がスタートスイッチ５を操作することによりランプ４が点灯、同時に時間計測装置７が作動し経過時間がディスプレイ８に表示されるが、練習者は、点灯後直ちに面の感圧センサー２を打撃する事で感圧センサ−２が作動し、時間計測装置７を停止させる。ここで表示された数値が、打突に要した時間（秒）であり、これが少なければ少ないほど技能が高いとされる。計測終了後はリセットスイッチ６を操作して時間計測装置７を初期状態に戻す。
【産業上の利用可能性】
【００１２】  剣道の攻防において、攻撃等の動作開始は視覚情報に従い、視認即反射的に打突が行われることを求められる。視認から打突までの微小時間は、普通高速度撮影等を介して計測されるが、本考案の一実施例は、上述のような構成から成るものであるから、極めて簡便に視認から打突までの微小時間を繰り返し計測・数値表示することができ、練習者の興味、意欲を高め、技能向上に大きく資する効果に有効である。【００１３】  本発明は、剣道打ち込み台に使用する以外にも、時間計測を開始させるスタートスイッチをＯＮする事で、ランプが点灯、並びに、時間計測装置が駆動し、ランプが点灯後、感圧センサーをＯＮさせる事で、ランプが消灯、並びに、時間計測装置が停止すると同時に、ランプが点灯してから消灯するまでの時間を演算しディスプレイに表示し、演算された時間が表示された後に、初期化させるリセットスイッチをＯＮする事で、時間を初期状態にする事が出来る事を特長とし老化や認知症の防止、並びに、リハビリテーションの様に人の反射機能を回復させる目的に活用する事が出来る。
【図１】
0003209994.tif 000003
【図２】
0003209994.tif 000004
【図３】
0003209994.tif 000005